(57)【要約】【課題】不適切な設定作業、交換作業が行われて不適切な状態で蓄電池が利用されることを抑制し得る蓄電システム１０を提供する。【解決手段】蓄電システム１０は、蓄電池１０９ａ〜１０９ｃを装着する蓄電装置（電池部）１００と、電池部と接続されたパワーコンディショナー２００とを含み、施工者を識別する施工者識別情報を取得する施工者識別情報取得部１１０と、施工者識別情報取得部１１０により取得された施工者識別情報について認証する認証部１２０と、認証部１２０による認証の結果に応じて、電池部１００に装着された蓄電池に対するパワーコンディショナー２００による電流の入出力に係る制御を行う制御部１５０とを備える。【選択図】図１
2019092383.tif 000002
【特許請求の範囲】
【請求項１】
１以上の蓄電池を装着する電池部と、当該電池部と接続されたパワーコンディショナーとを含む蓄電システムであって、
施工者を識別する施工者識別情報を取得する施工者識別情報取得部と、
前記施工者識別情報取得部により取得された施工者識別情報について、予め定められた所定認証基準を満たすか否かの択一判定で認証する認証部と、
前記認証部による認証の結果に応じて、前記電池部に装着された蓄電池に対する前記パワーコンディショナーによる電流の入出力に係る制御を行う制御部とを備える
蓄電システム。
【請求項２】
前記制御部は、前記認証部が前記認証に成功するまでは前記電池部に装着された蓄電池に対する前記パワーコンディショナーによる電流の入出力を許容しないように前記制御を行う
請求項１記載の蓄電システム。
【請求項３】
前記蓄電システムは、
前記電池部に装着されている各蓄電池の蓄電池識別情報を取得する蓄電池識別情報取得部と、
前記認証部が前記認証に成功した場合において、前記電池部に装着されている各蓄電池の蓄電池識別情報を認証済蓄電池情報として記録媒体に記録する記録部とを備え、
前記制御部は、前記電池部に装着されている全ての蓄電池の蓄電池識別情報が前記認証済蓄電池情報として記録されている場合には、前記電池部に装着された各蓄電池に対する前記パワーコンディショナーによる電流の入出力を許容するように前記制御を行い、前記電池部に装着されている１以上の蓄電池の蓄電池識別情報が前記認証済蓄電池情報として記録されていない場合には、前記電池部に装着された各蓄電池に対する前記パワーコンディショナーによる電流の入出力を許容しないように前記制御を行う
請求項２記載の蓄電システム。
【請求項４】
前記電池部は、複数の蓄電池を装着し、
前記蓄電システムは、
前記電池部に装着されている各蓄電池の蓄電池識別情報を取得する蓄電池識別情報取得部と、
前記認証部が前記認証に成功した場合において、前記電池部に装着されている各蓄電池の蓄電池識別情報を認証済蓄電池情報として記録媒体に記録する記録部とを備え、
前記制御部は、前記電池部に装着されている複数の蓄電池のうち、当該蓄電池の蓄電池識別情報が前記認証済蓄電池情報として記録されている蓄電池に対する前記パワーコンディショナーによる電流の入出力を許容するように前記制御を行い、当該蓄電池の蓄電池識別情報が前記認証済蓄電池情報として記録されていない蓄電池に対する前記パワーコンディショナーによる電流の入出力を許容しないように前記制御を行う
請求項２記載の蓄電システム。
【請求項５】
前記電池部は、前記制御部を含み、
前記制御部は前記制御として、前記認証部が前記認証に成功するまでは前記電池部に装着された蓄電池に対しての電流の入出力を許容することを示す許容信号を前記パワーコンディショナーに伝達せず、前記認証部が前記認証に成功した後において前記パワーコンディショナーに前記許容信号を伝達する制御を行う
請求項１〜４のいずれか一項に記載の蓄電システム。
【請求項６】
前記制御部は前記制御として、前記認証部が前記認証に成功するまでは前記パワーコンディショナーに前記電池部に装着された蓄電池に対して電流を入出力させず、前記認証部が前記認証に成功した後において前記パワーコンディショナーに前記電池部に装着された蓄電池に対して電流を入出力させる制御を行う
請求項１記載の蓄電システム。
【請求項７】
前記蓄電システムは、
前記電池部に装着されている各蓄電池の蓄電池識別情報を取得する蓄電池識別情報取得部と、
前記認証部が前記認証に成功した場合において、前記電池部に装着されている各蓄電池の蓄電池識別情報と当該認証がなされた前記施工者識別情報とを対応付けて認証済蓄電池情報として記録媒体に記録する記録部とを備える
請求項１記載の蓄電システム。
【請求項８】
前記蓄電システムは、操作に応じて、前記パワーコンディショナーへと、蓄電池に対する電流の入出力を指示する指示情報を送信する操作端末を備え、
前記操作端末は、前記施工者識別情報取得部、前記認証部及び前記制御部を有し、
前記制御部は、前記認証部が前記認証に成功するまでは前記指示情報の送信を抑止する
請求項１記載の蓄電システム。
【請求項９】
前記蓄電システムは、前記施工者識別情報取得部及び前記認証部を有する情報端末を備え、
前記情報端末は、
撮影部と、
前記認証部が前記認証に成功した場合において、前記パワーコンディショナー及び前記電池部の少なくとも一方へと、蓄電池に対する電流の入出力に関する設定情報を送信する設定部とを備え、
前記施工者識別情報取得部は、前記施工者識別情報を表した撮影対象を前記撮影部で撮影することにより前記施工者識別情報を取得する
請求項１〜７のいずれか一項に記載の蓄電システム。
【請求項１０】
前記認証部は、予め定められた施工者識別情報を管理するサーバと通信することにより、前記認証を行う
請求項９記載の蓄電システム。
【請求項１１】
１以上の蓄電池を装着する電池部と、当該電池部と接続されたパワーコンディショナーとを含む蓄電システムにおいて用いられる制御方法であって、
施工者を識別する施工者識別情報を取得する施工者識別情報取得ステップと、
前記施工者識別情報取得ステップにおいて取得された施工者識別情報について、予め定められた所定認証基準を満たすか否かの択一判定で認証する認証ステップと、
前記認証ステップによる認証の結果に応じて、前記電池部に装着された蓄電池に対する前記パワーコンディショナーによる電流の入出力に係る制御を行う制御ステップとを含む
制御方法。
【請求項１２】
マイクロプロセッサ及び撮影部を備える情報端末に所定認証設定処理を実行させるための制御プログラムであって、
前記所定認証設定処理は、
１以上の蓄電池を装着する電池部と、当該電池部と接続されたパワーコンディショナーとを含む蓄電システムに係る施工を行う施工者についての施工者識別情報を、前記撮影部に撮影させることにより取得する施工者識別情報取得ステップと、
前記施工者識別情報取得ステップにおいて取得された施工者識別情報について、予め定められた所定認証基準を満たすか否かの択一判定で認証する認証ステップと、
前記認証ステップでの前記認証に成功した場合において、前記パワーコンディショナー及び前記電池部の少なくとも一方へと、蓄電池に対する電流の入出力に関する設定情報を送信する設定ステップとを含む
制御プログラム。
【発明の詳細な説明】
【技術分野】
【０００１】
本発明は、蓄電池の充電及び放電に係る制御を行う蓄電システム、その蓄電システムで用いられる制御方法及び制御プログラムに関する。
【背景技術】
【０００２】
従来、例えば住宅、オフィスビル等といった電力の需要家の施設で利用される蓄電装置に関して、操作等に応じて蓄電池の充電及び放電を制御するシステムが知られている（特許文献１参照）。また、蓄電池を交換可能な蓄電装置が知られている（特許文献２参照）。
【先行技術文献】
【特許文献】
【０００３】
【特許文献１】特開２０１４−７９０５８号公報
【特許文献２】特開２０１４−１８７７３８号公報
【発明の概要】
【発明が解決しようとする課題】
【０００４】
ところで、蓄電池を含む蓄電装置を需要家の施設に設置して利用可能にする設定作業、或いは蓄電池の交換作業は、例えば、十分な専門知識を有する施工者により品質の良い蓄電池を用いて実施されることが望ましい。これらの作業を適切に実施しないと、蓄電装置が適切な状態で稼働しない可能性がある。
【０００５】
そこで、本発明は、不適切な設定作業、交換作業が行われて不適切な状態で蓄電池が利用されることを抑制し得る蓄電システムを提供することを目的とする。また、本発明は、その蓄電システムで用いられる制御方法及び制御プログラムを提供することを目的とする。
【課題を解決するための手段】
【０００６】
上記目的を達成するために本発明の一態様に係る蓄電システムは、１以上の蓄電池を装着する電池部と、当該電池部と接続されたパワーコンディショナーとを含む蓄電システムであって、施工者を識別する施工者識別情報を取得する施工者識別情報取得部と、前記施工者識別情報取得部により取得された施工者識別情報について認証する認証部と、前記認証部による認証の結果に応じて、前記電池部に装着された蓄電池に対する前記パワーコンディショナーによる電流の入出力に係る制御を行う制御部とを備える。
【０００７】
また、本発明の一態様に係る制御方法は、１以上の蓄電池を装着する電池部と、当該電池部と接続されたパワーコンディショナーとを含む蓄電システムにおいて用いられる制御方法であって、施工者を識別する施工者識別情報を取得する施工者識別情報取得ステップと、前記施工者識別情報取得ステップにおいて取得された施工者識別情報について認証する認証ステップと、前記認証ステップによる認証の結果に応じて、前記電池部に装着された蓄電池に対する前記パワーコンディショナーによる電流の入出力に係る制御を行う制御ステップとを含む。
【０００８】
また、本発明の一態様に係る制御プログラムは、マイクロプロセッサ及び撮影部を備える情報端末に所定認証設定処理を実行させるための制御プログラムであって、前記所定認証設定処理は、１以上の蓄電池を装着する電池部と、当該電池部と接続されたパワーコンディショナーとを含む蓄電システムに係る施工を行う施工者についての施工者識別情報を、前記撮影部に撮影させることにより取得する施工者識別情報取得ステップと、前記施工者識別情報取得ステップにおいて取得された施工者識別情報について認証する認証ステップと、前記認証ステップでの前記認証に成功した場合において、前記パワーコンディショナー及び前記電池部の少なくとも一方へと、蓄電池に対する電流の入出力に関する設定情報を送信する設定ステップとを含む。
【発明の効果】
【０００９】
本発明によれば、蓄電池に係る作業の施工者の認証結果に応じて蓄電池の充電、放電等が行われるため、不適切な状態で蓄電池が利用されることが抑制され得る。
【図面の簡単な説明】
【００１０】
【図１】実施の形態１に係る蓄電システムの概略構成図である。
【図２】蓄電システムで用いる蓄電池管理情報の一例を示す図である。
【図３】蓄電システムで用いる認証済蓄電池情報の一例を示す図である。
【図４】施工者の認証に係る認証記録処理の一例を示すフローチャートである。
【図５】蓄電池の電流の入出力（充放電）に係る蓄電池入出力処理の一例を示すフローチャートである。
【図６】蓄電池の電流の入出力の許容に係る制御処理の一例を示すフローチャートである。
【図７】実施の形態２に係る蓄電システムの概略構成図である。
【図８】蓄電池の電流の入出力に係る蓄電池入出力処理の一例を示すフローチャートである。
【図９】実施の形態２の変形例における蓄電池入出力処理の一例を示すフローチャートである。
【図１０】実施の形態３に係る蓄電システムの概略構成図である。
【図１１】蓄電池の制御指示に係る指示情報送信処理の一例を示すフローチャートである。
【図１２】実施の形態４に係る蓄電システムの概略構成図である。
【図１３】情報端末による施工者の認証に係る認証設定処理の一例を示すフローチャートである。
【図１４】認証に成功した施工者の記録に係る記録処理の一例を示すフローチャートである。
【発明を実施するための形態】
【００１１】
以下、実施の形態について、図面を参照して説明する。ここで示す実施の形態は、いずれも本発明の一具体例を示すものである。従って、以下の実施の形態で示される数値、形状、構成要素、構成要素の配置及び接続形態、並びに、ステップ（工程）及びステップの順序等は、一例であって本発明を限定するものではない。以下の実施の形態における構成要素のうち、独立請求項に記載されていない構成要素については、任意に付加可能な構成要素である。また、各図は、模式図であり、必ずしも厳密に図示されたものではない。
【００１２】
（実施の形態１）
以下、本発明の一実施形態に係る蓄電システム１０について説明する。
【００１３】
（構成）
図１は、実施の形態１に係る蓄電システム１０を示す概略構成図である。
【００１４】
蓄電システム１０は、住宅、オフィスビル等といった電力の需要家の施設である需要家施設２０に設置され、蓄電池に電力を蓄積して必要時に放出するための蓄電装置（電池部）１００の制御を行うシステムである。蓄電システム１０は、所定のアクティベーションがなされるまでは蓄電装置１００に装着された蓄電池の利用を抑制する機能を有する。このアクティベーションは、蓄電装置１００の設置の際の設定作業、或いは、蓄電装置１００における蓄電池の交換作業等が予め定められた基準を満たす施工者により実施されたことを確認する認証である。なお、この認証についての運用は、予め定められた基準を満たす施工者が、所定の認定機関から発行された施工者識別情報（施工者を識別し認証に成功する情報）を保有することを前提とする。
【００１５】
蓄電システム１０は、図１に示すように、需要家施設２０に設置された蓄電装置（電池部）１００と、パワーコンディショナー２００と、操作端末３００とを含んで構成される。需要家施設２０は、電力事業者等の設備である電力系統から受けた電力（系統電力）を負荷５０等に分配する分電盤４０を有する。負荷５０は、需要家施設２０内の電気機器等を集合的に表したものであり、個々の電気機器等は分電盤４０における複数の分岐回路のいずれかに接続されている。なお、需要家施設２０に太陽光発電等を行う発電装置が含まれても良くその場合に発電装置は分電盤４０に接続される。
【００１６】
蓄電装置（電池部）１００は、例えば、リチウムイオン二次電池、鉛蓄電池等の蓄電池（蓄電池１０９ａ〜１０９ｃ等）を装着する装着部、その蓄電池の制御を行う制御回路等を含む。蓄電装置１００は、例えば蓄電及び放電により電力を効率的に利用する或いは停電時に備える等のために用いられる。蓄電池１０９ａ〜１０９ｃのそれぞれは、例えば、電池セル、電池セルの集合体である電池モジュール、電池モジュールの集合体である電池パック（電池ユニット）等といった二次電池の単位のうち交換可能な単位として用いられるもののいずれであってもよい。ここでは、説明の便宜上、蓄電池１０９ａ〜１０９ｃを示すが、蓄電池の数はいくつであってもよい。なお、交換可能な蓄電池の単位毎に対してその蓄電池を識別する蓄電池識別情報が定められており、例えばその単位毎について外部から読み出し可能に蓄電池識別情報が保持されている。また、ここでは蓄電池の制御を行う制御回路は、メモリ、プロセッサ（マイクロプロセッサ）、通信インタフェース（Ｉ／Ｆ）、入力Ｉ／Ｆ等を有するコンピュータを含むものとする。メモリは、プログラム及びデータを予め保持しているＲＯＭ、プログラムの実行に際してデータ等の記憶に利用するためのＲＡＭ等であり、例えば不揮発性メモリを含んでいてもよい。プロセッサは、メモリに格納されたプログラム（制御プログラム等）を実行することにより例えば通信Ｉ／Ｆ等を制御して各種処理を行う。通信Ｉ／Ｆは、例えばパワーコンディショナー２００との間で信号線を通じて信号を伝達するための通信回路である。入力Ｉ／Ｆは、例えばタッチパネル、キーボード、スイッチ等の入力装置であり、入力データを取得可能であればいかなる構成であってもよい。
【００１７】
パワーコンディショナー２００は、蓄電装置１００と分電盤４０と接続され、直流電力と交流電力との変換等を行う電力変換装置である。パワーコンディショナー２００は、予め定められたアルゴリズムに従って、蓄電装置１００（具体的には蓄電池１０９ａ〜１０９ｃ）に対して充電（つまり電流の入力）及び蓄電装置１００からの放電（つまり電流の出力）についての制御を行う。この制御によりパワーコンディショナー２００は、例えば、分電盤４０から分配された系統電力等を受けて蓄電装置１００に充電し、蓄電装置１００から放電された電力を、分電盤４０を介して負荷５０に供給する。パワーコンディショナー２００は、操作端末３００から指示情報を受信した場合にその指示情報に応じて、蓄電装置１００の充電及び放電に係る制御内容を決定して、制御を行う。パワーコンディショナー２００は、この蓄電池への入出力（充放電）に係る制御のために蓄電池入出力処理（後述）を実行する。なお、蓄電池への電流の入出力は、蓄電池へ電流を入力すること（蓄電池の充電）、或いは、蓄電池から電流を出力させること（蓄電池の放電）である。
【００１８】
操作端末３００は、ユーザ（例えば電力の需要家等）の操作を受け付けて操作に応じた指示情報をパワーコンディショナー２００へ送信する機能を有する端末（例えばリモートコントローラ等）である。操作端末３００は、パワーコンディショナー２００と有線接続される端末である他、パワーコンディショナー２００と無線通信可能な端末であってもよい。即ち、ユーザＩ／Ｆを備え、可搬性を有するタブレット、スマートフォン等のコンピュータであってもよい。この場合にスマートフォン等のコンピュータは、例えば、ユーザ操作を受け付けてパワーコンディショナー２００へ指示情報を送信するための操作用アプリケーションプログラムを実行する。指示情報は、例えば、放電状態にする指示或いは蓄電状態にする指示等といった、パワーコンディショナー２００に蓄電池（蓄電装置１００）に対する電流の入出力を指示するための情報である。指示情報は、例えば、蓄電装置１００について予め定められた充放電制御用の各種アルゴリズム（運転モード）を選択的に指示する情報であってもよい。
【００１９】
このような構成の蓄電システム１０において蓄電装置１００は、蓄電池の利用の前提となるアクティベーションのための施工者の認証に係る機能を有する。この機能を実現するために、上述したハードウェア構成を備える蓄電装置１００は、図１に示すように機能面では、施工者識別情報取得部１１０、認証部１２０、蓄電池識別情報取得部１３０、記録部１４０及び制御部１５０を有する。
【００２０】
施工者識別情報取得部１１０は、例えば入力Ｉ／Ｆ、プログラムを実行するプロセッサ等により実現される。施工者識別情報取得部１１０は、蓄電池に係る設定作業（設置作業）、交換作業等を実施した施工者による入力操作を入力Ｉ／Ｆで受け付けること等により、施工者を識別する施工者識別情報を取得する機能を有する。
【００２１】
認証部１２０は、プログラムを実行するプロセッサ等により実現される。認証部１２０は、施工者識別情報取得部１１０が取得した施工者識別情報について認証する機能を有する。認証は、予め定められた所定認証基準（条件）を満たすか否かの択一判定であり、その条件が満たされると判定されることを認証に成功すると言い、満たされないと判定されることを認証に失敗すると言う。認証は、周知のいかなる認証方式により実行されてもよく、いかなる所定認証基準（条件）を定めてもよい。例えば、所定認証基準（条件）は、施工者識別情報が示すコード（ビットデータ）が所定演算で検証可能な規則性を有すること、或いは、そのコードが、予め認証部１２０に設定された正当なコードを列挙したリスト中に存在すること等である。なお、認証を有効に機能させるためには、所定の認定機関から発行され施工者が保有する施工者識別情報（認証に成功する正当な施工者識別情報）が容易に第三者に知られないように運用することが有用である。
【００２２】
蓄電池識別情報取得部１３０は、蓄電装置（電池部）１００において装着部に装着されている各蓄電池１０９ａ〜１０９ｃの蓄電池識別情報を取得する機能を有する。蓄電池識別情報取得部１３０は、例えばプログラムを実行するプロセッサにより、装着部を介して蓄電池１０９ａ〜１０９ｃのそれぞれについての蓄電池識別情報を読み出す。蓄電池識別情報取得部１３０により取得された蓄電池識別情報は、例えば蓄電装置１００において装着されている各蓄電池を管理するための蓄電池管理情報の一部として記録され得る。図２に、蓄電池管理情報の一例を示す。蓄電池管理情報では、例えば蓄電池１０９ａ〜１０９ｃのそれぞれの蓄電池識別情報は、管理通番１〜３のそれぞれに１対１で対応している。蓄電池管理情報は、例えば蓄電装置１００において各蓄電池の装着位置、状態、使用履歴（使用期間等）、保管温度、充電量等を管理するために用いられる。
【００２３】
記録部１４０は、メモリ、プログラムを実行するプロセッサ等により実現される。記録部１４０は、認証部１２０が認証に成功した場合に、蓄電池識別情報取得部１３０が取得した、蓄電装置１００に装着されている各蓄電池１０９ａ〜１０９ｃの蓄電池識別情報を、認証済蓄電池情報として不揮発性メモリ等の記録媒体に記録する機能を有する。認証済蓄電池情報は、認証に成功したことにより利用可能な状態となった蓄電池（つまりアクティベーション済の蓄電池）を示す管理用の情報である。図３に、認証済蓄電池情報の一例を示す。認証済蓄電池情報は、認証に成功した蓄電池の蓄電池識別情報を示し、同図に例示するように、蓄電池識別情報それぞれと対応付けて認証部１２０の認証の対象となった施工者識別情報、認証日時等を含んでもよい。認証済蓄電池情報が施工者識別情報等を含むと、例えば、必要に応じて施工者を特定することが可能となる。
【００２４】
制御部１５０は、通信Ｉ／Ｆ、プログラムを実行するプロセッサ等により実現される。制御部１５０は、認証部１２０による認証の結果に応じて、蓄電装置１００に装着された蓄電池に対するパワーコンディショナー２００による電流の入出力に係る制御（入出力を許容するか否かに係る制御）を行う機能を有する。制御部１５０は、例えば認証部１２０が認証に成功するまでは蓄電池に対するパワーコンディショナー２００による電流の入出力を許容しないように制御する。この制御の具体例としては、制御部１５０は、蓄電装置１００に装着されている全ての蓄電池の蓄電池識別情報が認証済蓄電池情報として記録されている場合を、認証が成功していると扱い、それ以外の場合を認証が成功していないと扱う。そして、認証が成功していない場合（認証に成功するまで）は、制御部１５０は、蓄電装置１００に装着された蓄電池１０９ａ〜１０９ｃに対しての電流の入出力を許容することを示す許容信号をパワーコンディショナー２００に伝達しない。制御部１５０は、その認証が成功した後においてパワーコンディショナー２００に許容信号を伝達する制御（制御処理）を行う。許容信号の伝達は、蓄電池に対するパワーコンディショナー２００による電流の入出力が許容されたことを表し、逆に、許容信号を伝達しないことは、蓄電池に対するパワーコンディショナー２００による電流の入出力が許容されないことを表す。なお、パワーコンディショナー２００は許容信号を受けている場合においては必要に応じて蓄電池に対する入出力を行うが、許容信号を受けていない場合においては、蓄電池に対する入出力を行わない。パワーコンディショナー２００は、蓄電装置１００に繰り返し入出力が許容されるか否かを問い合わせる信号を送信して、蓄電装置１００は応答として、認証に成功している場合に限って許容信号を送信することとしてもよい。許容信号は、例えば入力可能な電流の上限値等を示す情報を含んでもよく、例えば、パワーコンディショナー２００はその上限値に応じた電流の入力に係る制御を行うこととしてもよい。
【００２５】
（動作）
以下、上述の構成を備える蓄電システム１０における制御方法の一例（動作例）について説明する。
【００２６】
図４は、蓄電装置１００における認証記録処理の一例を示すフローチャートである。以下、同図に即して認証記録処理を説明する。蓄電池の設定作業或いは交換作業をした際に施工者は施工者識別情報を蓄電装置１００に対して入力する操作を行い、この際に認証記録処理が実行される。
【００２７】
蓄電装置１００は、施工者による入力操作等を受けることで施工者識別情報取得部１１０により施工者識別情報を取得する（ステップＳ１１）。
【００２８】
認証部１２０は、施工者識別情報取得部１１０により取得された施工者識別情報について認証を行う（ステップＳ１２）。
【００２９】
ステップＳ１２での認証に成功した場合に、蓄電装置１００は、蓄電池識別情報取得部１３０により、蓄電装置１００に装着されている各蓄電池１０９ａ〜１０９ｃの蓄電池識別情報を取得する（ステップＳ１４）。続いて、記録部１４０により、その各蓄電池識別情報を、認証に成功した施工者識別情報と対応付けて認証済蓄電池情報（図３参照）として記録する（ステップＳ１５）。既に認証済蓄電池情報が記録されている場合においては、ステップＳ１５では、例えば追記が行われる。この認証済蓄電池情報により、蓄電装置１００に装着されたことのある各蓄電池に関して、蓄電池の装着状況等を最後に確認したはずの施工者を特定し得る。
【００３０】
また、ステップＳ１２で認証に失敗した場合には、蓄電装置１００は、ステップＳ１４及びステップＳ１５の処理をスキップして、認証済蓄電池情報の記録を行わない。
【００３１】
図５は、パワーコンディショナー２００における蓄電池入出力処理の一例を示すフローチャートである。以下、同図に即して蓄電池入出力処理を説明する。
【００３２】
パワーコンディショナー２００は、操作端末３００からの指示情報等に基づいて蓄電装置１００の蓄電池への電流の入出力の内容を決定する（ステップＳ２１）。例えば、パワーコンディショナー２００は、操作端末３００からの指示情報で指示された内容（例えば運転モード等）に従って、蓄電池に電流を入力する時間帯、蓄電池から電流を出力させる時間帯、これらの電流の大きさ等を決定する。
【００３３】
パワーコンディショナー２００は、蓄電装置１００の蓄電池に対する入出力を行う必要がある場合に蓄電装置１００から許容信号が受信できるか判定する（ステップＳ２２）。許容信号が受信できた場合には、パワーコンディショナー２００は、蓄電装置１００の蓄電池への電流の入出力を実行する（ステップＳ２３）。また、許容信号が受信できない場合には、許容信号が受信できるまでは、パワーコンディショナー２００は、蓄電装置１００の蓄電池への電流の入出力を実行しない。
【００３４】
図６は、蓄電装置１００における制御処理の一例を示すフローチャートである。以下、同図に即して制御処理を説明する。この制御処理は、例えば連続的或いは比較的短周期（例えば数秒等）で繰り返し実行される。
【００３５】
蓄電装置１００の制御部１５０は、蓄電装置１００に装着されている全ての蓄電池の蓄電池識別情報が記録媒体に記録されている認証済蓄電池情報に含まれるか否かを判定する（ステップＳ３１）。
【００３６】
全ての蓄電池の蓄電池識別情報が認証済蓄電池情報に含まれると判定した場合に、制御部１５０は、入出力を許容する旨を示す許容信号をパワーコンディショナー２００に伝達（送信）する（ステップＳ３２）。また、蓄電装置１００に装着されている蓄電池の蓄電池識別情報のうち１つ以上が、認証済蓄電池情報に含まれていないと判定した場合には、制御部１５０は許容信号を送信しない。
【００３７】
このように蓄電システム１０では、施工者を認証し、蓄電池の設定作業或いは交換作業を施工した施工者が蓄電システム１０に対して施工者識別情報を適切に入力しておかなければ、蓄電装置１００により蓄電池の利用を許容しないように制御がなされる。従って、蓄電池が不適切な状態で利用されることが抑制され得る。不適切な状態は、例えば、１つ以上の蓄電池が正規の位置に正しく装着されていない状態、１つ以上の蓄電池が品質の悪い物、過度に劣化した物等である状態、蓄電池が所定の限界を超えた高温或いは低温となり得る環境に置かれた状態等である。所定の認定機関により、例えば、蓄電池に関して十分な専門知識を有し、品質の良い蓄電池を用いて施工を行う者に対して、認証に成功する施工者識別情報を付与するように運用すれば、蓄電装置１００について適切な稼働が保たれる。
【００３８】
（実施の形態２）
以下、本発明の一実施形態に係る蓄電システム１１について説明する。蓄電システム１１は、実施の形態１で示した蓄電システム１０を部分的に変形したものである。蓄電システム１０では蓄電装置（電池部）１００が施工者の認証とその認証結果に応じた制御を行ったが、蓄電システム１１では、パワーコンディショナー２０１が施工者の認証とその認証結果に応じた制御を行う。
【００３９】
（構成）
図７は、実施の形態２に係る蓄電システム１１を示す概略構成図である。実施の形態１（図１）と同様の構成要素については、図７で同じ符号を付しており、ここでは説明を適宜省略する。また、蓄電システム１１は、ここで説明しない点については、実施の形態１で示した蓄電システム１０と同様である。
【００４０】
蓄電システム１１は、需要家施設２０に設置され、蓄電池に電力を蓄積して必要時に放出するための蓄電装置（電池部）１０１の制御を行うシステムである。蓄電システム１１は、蓄電池に係る設定作業（設置作業）、交換作業等の施工者の認証による所定のアクティベーションがなされるまでは蓄電装置１０１に装着された蓄電池の利用を抑制する機能を有する。
【００４１】
蓄電システム１１は、図７に示すように、需要家施設２０に設置された蓄電装置（電池部）１０１と、パワーコンディショナー２０１と、操作端末３００とを含んで構成される。
【００４２】
蓄電装置（電池部）１０１は、実施の形態１で示した蓄電装置１００を部分的に変形したものである。蓄電装置１０１は、蓄電池（蓄電池１０９ａ〜１０９ｃ等）を装着する装着部、その蓄電池の制御を行う制御回路等を含む。制御回路は、実施の形態１と相違して施工者の認証に関連した機能を有さず、認証結果に応じた許容信号の送信に係る制御を行わない。このため制御回路は、例えばプロセッサ等を含まなくてもよい。
【００４３】
操作端末３００は、ユーザの操作を受け付けて操作に応じた指示情報をパワーコンディショナー２０１へ送信する機能を有する端末である。
【００４４】
パワーコンディショナー２０１は、実施の形態１で示したパワーコンディショナー２００を部分的に変形して、施工者の認証に係る機能を追加したものである。パワーコンディショナー２０１は、蓄電装置１０１と分電盤４０と接続され、予め定められたアルゴリズムに従って、認証結果に応じて、蓄電装置１０１（具体的には蓄電池１０９ａ〜１０９ｃ）に対して充放電（電流の入出力）の制御を行う。パワーコンディショナー２０１は、メモリ、プロセッサ、通信Ｉ／Ｆ、入力Ｉ／Ｆ等を有するコンピュータを含む。パワーコンディショナー２０１は、蓄電装置１０１に装着された蓄電池の利用の前提となるアクティベーションのための施工者の認証に係る機能を有する。この機能を実現するために、パワーコンディショナー２０１は、図７に示すように機能面では、施工者識別情報取得部２１０、認証部２２０、蓄電池識別情報取得部２３０、記録部２４０及び制御部２５０を有する。
【００４５】
施工者識別情報取得部２１０は、例えば入力Ｉ／Ｆ、プログラムを実行するプロセッサ等により実現される。施工者識別情報取得部２１０は、実施の形態１で示した施工者識別情報取得部１１０と同様に、施工者を識別する施工者識別情報を取得する機能を有する。
【００４６】
認証部２２０は、プログラムを実行するプロセッサ等により実現される。認証部２２０は、実施の形態１で示した認証部１２０と同様に、施工者識別情報取得部２１０が取得した施工者識別情報について認証する機能を有する。
【００４７】
蓄電池識別情報取得部２３０は、プログラムを実行するプロセッサ、通信Ｉ／Ｆ等により実現される。蓄電池識別情報取得部２３０は、蓄電装置（電池部）１０１に装着されている各蓄電池１０９ａ〜１０９ｃの蓄電池識別情報を取得する機能を有する。蓄電池識別情報取得部２３０は、例えば蓄電装置１０１の制御回路を介して、蓄電池１０９ａ〜１０９ｃのそれぞれについての蓄電池識別情報を読み出す。蓄電池識別情報取得部２３０により取得された蓄電池識別情報は、パワーコンディショナー２０１において例えば蓄電装置１０１の各蓄電池について管理するための蓄電池管理情報（図２参照）の一部として記録され得る。
【００４８】
記録部２４０は、メモリ、プログラムを実行するプロセッサ等により実現される。記録部２４０は、認証部２２０が認証に成功した場合に、蓄電池識別情報取得部２３０が取得した、蓄電装置１０１に装着されている各蓄電池１０９ａ〜１０９ｃの蓄電池識別情報を、認証済蓄電池情報として不揮発性メモリ等の記録媒体に記録する機能を有する。記録部２４０が記録する認証済蓄電池情報は、実施の形態１で示した記録部１４０が記録する認証済蓄電池情報と同様である（図３参照）。
【００４９】
制御部２５０は、通信Ｉ／Ｆ、プログラムを実行するプロセッサ等により実現される。制御部２５０は、認証部２２０による認証の結果に応じて、蓄電装置１０１に装着された蓄電池に対する電流の入出力に係る制御を行う機能を有する。制御部２５０は、例えば認証部１２０が認証に成功するまでは蓄電池に対して電流の入出力を実行しないように制御する。この制御の具体例としては、制御部２５０は、蓄電装置１０１に装着されている全ての蓄電池の蓄電池識別情報が認証済蓄電池情報として記録されている場合を、認証が成功していると扱い、それ以外の場合を認証が成功していない（つまり失敗）と扱う。そして、認証が成功していない場合（認証に成功するまで）は、蓄電装置１０１に装着された蓄電池１０９ａ〜１０９ｃに対しての電流の入出力を実行せず、認証が成功した後においてその入出力を実行する。
【００５０】
（動作）
以下、上述の構成を備える蓄電システム１１における制御方法の一例（動作例）について説明する。
【００５１】
蓄電システム１１では、蓄電池の設定作業或いは交換作業をした際に施工者は施工者識別情報をパワーコンディショナー２０１に対して入力する操作を行い、この際にパワーコンディショナー２０１は、実施の形態１で示した認証記録処理（図４参照）を実行する。これにより、パワーコンディショナー２０１は、施工者識別情報に基づく認証に成功した場合に限り、蓄電装置１０１に装着されている各蓄電池１０９ａ〜１０９ｃの蓄電池識別情報を施工者識別情報と対応付けて認証済蓄電池情報（図３参照）として記録する。
【００５２】
図８は、パワーコンディショナー２０１における蓄電池入出力処理の一例を示すフローチャートである。以下、同図に即して蓄電池入出力処理を説明する。
【００５３】
パワーコンディショナー２０１は、操作端末３００からの指示情報等に基づいて蓄電装置１０１の蓄電池への電流の入出力の内容を決定する（ステップＳ４１）。例えば、パワーコンディショナー２０１は、操作端末３００からの指示情報で指示された内容（例えば運転モード等）に従って、蓄電池に電流を入力する時間帯、蓄電池から電流を出力させる時間帯、これらの電流の大きさ等を決定する。
【００５４】
パワーコンディショナー２０１は、蓄電装置１０１に装着されている各蓄電池１０９ａ〜１０９ｃの蓄電池識別情報を取得する（ステップＳ４２）。
【００５５】
続いてパワーコンディショナー２０１の制御部２５０は、蓄電装置１０１に装着されている全ての蓄電池の蓄電池識別情報が、記録媒体に記録されている認証済蓄電池情報に含まれているか否かを判定する（ステップＳ４３）。
【００５６】
ステップＳ４３で全ての蓄電池の蓄電池識別情報が認証済蓄電池情報に含まれると判定した場合に、制御部２５０は、ステップＳ４１で決定した内容に従って蓄電池への電流の入出力を実行する（ステップＳ４４）。また、ステップＳ４３で、全ての蓄電池の蓄電池識別情報のうち１つ以上が、認証済蓄電池情報に含まれていないと判定した場合には、制御部２５０は、蓄電池への電流の入出力を実行しない。
【００５７】
このように、蓄電システム１１においてパワーコンディショナー２０１は、蓄電装置１０１に装着されている全ての蓄電池が、認証部２２０による施工者の認証に成功した状態である場合に限って、蓄電池を充放電の対象として利用するようになる。
【００５８】
（変形例）
以下、パワーコンディショナー２０１の制御部２５０を変形した例について説明する。
【００５９】
図９は、変形例に係るパワーコンディショナー２０１における蓄電池入出力処理の一例を示すフローチャートである。以下、同図に即して変形例に係る蓄電池入出力処理を説明する。
【００６０】
パワーコンディショナー２０１は、操作端末３００からの指示情報等に基づいて蓄電装置１０１の蓄電池への電流の入出力の内容を決定する（ステップＳ４１）。
【００６１】
パワーコンディショナー２０１は、蓄電装置１０１に装着されている各蓄電池１０９ａ〜１０９ｃの蓄電池識別情報を取得する（ステップＳ４２）。
【００６２】
続いてパワーコンディショナー２０１の制御部２５０は、蓄電装置１０１に装着されている全ての蓄電池のうち、その蓄電池の蓄電池識別情報が、認証済蓄電池情報に含まれる蓄電池に対してのみ、電流の入出力を実行する（ステップＳ４３ａ）。なお、変形例に係る制御部２５０は、蓄電装置１０１に装着されている個々の蓄電池について、その蓄電池の蓄電池識別情報が認証済蓄電池情報として記録されている場合をその蓄電池について認証が成功していると扱う。また、その蓄電池の蓄電池識別情報が認証済蓄電池情報として記録されていない場合をその蓄電池について認証が成功していない（つまり失敗）と扱う。また、この変形例では、蓄電装置１０１は、装着されている個々の蓄電池（交換可能な単位である蓄電池）に対してパワーコンディショナー２０１による電流の入出力の対象にできるように構成される。
【００６３】
このように、変形例に係るパワーコンディショナー２０１は、蓄電装置１０１に装着されている各蓄電池について、認証部２２０による施工者の認証に成功した状態である場合に限って、蓄電池を充放電の対象として利用するようになる。
【００６４】
（実施の形態３）
以下、本発明の一実施形態に係る蓄電システム１２について説明する。蓄電システム１２は、実施の形態１で示した蓄電システム１０を部分的に変形したものである。蓄電システム１０では蓄電装置（電池部）１００が施工者の認証とその認証結果に応じた制御を行ったが、蓄電システム１２では、操作端末３０１が施工者の認証とその認証結果に応じた制御を行う。
【００６５】
（構成）
図１０は、実施の形態３に係る蓄電システム１２を示す概略構成図である。実施の形態１（図１）又は実施の形態２（図７）と同様の構成要素については、図１０で同じ符号を付しており、ここでは説明を適宜省略する。また、蓄電システム１２は、ここで説明しない点については、実施の形態１で示した蓄電システム１０或いは実施の形態２で示した蓄電システム１１と同様である。
【００６６】
蓄電システム１２は、需要家施設２０に設置され、蓄電池に電力を蓄積して必要時に放出するための蓄電装置（電池部）１０１の制御を行うシステムである。蓄電システム１２は、蓄電池に係る設定作業（設置作業）、交換作業等の施工者の認証による所定のアクティベーションがなされるまでは蓄電装置１０１に装着された蓄電池の利用を抑制する機能を有する。
【００６７】
蓄電システム１２は、図１０に示すように、需要家施設２０に設置された蓄電装置（電池部）１０１と、パワーコンディショナー２００と、操作端末３０１とを含んで構成される。
【００６８】
蓄電装置（電池部）１０１は、蓄電池（蓄電池１０９ａ〜１０９ｃ等）を装着する装着部、その蓄電池の制御を行う制御回路等を含む。
【００６９】
パワーコンディショナー２００は、蓄電装置１０１と分電盤４０と接続され、予め定められたアルゴリズムに従って、蓄電装置１０１に対して充放電（電流の入出力）の制御を行う。
【００７０】
操作端末３０１は、実施の形態１で示した操作端末３００を部分的に変形して、施工者の認証に係る機能を追加したものである。操作端末３０１は、メモリ、プロセッサ、通信Ｉ／Ｆ、入力Ｉ／Ｆ等を有するコンピュータを含む。操作端末３０１は、ユーザＩ／Ｆを備え、可搬性を有するタブレット、スマートフォン等のコンピュータであってもよい。この場合にスマートフォン等のコンピュータは、例えば、ユーザ操作を受け付けてパワーコンディショナー２００へ指示情報を送信するための操作用アプリケーションプログラムを実行する。操作端末３０１は、蓄電装置１０１に装着された蓄電池の利用の前提となるアクティベーションのための施工者の認証に係る機能を有する。また、操作端末３０１は、施工者の認証結果に応じて、ユーザの操作を受け付けた際に指示情報をパワーコンディショナー２０１へ送信するか否かを切り替える機能を有する。
【００７１】
操作端末３０１は、図１０に示すように機能面では、施工者識別情報取得部３１０、認証部３２０、蓄電池識別情報取得部３３０、記録部３４０及び制御部３５０を有する。
【００７２】
施工者識別情報取得部３１０は、例えば入力Ｉ／Ｆ、プログラムを実行するプロセッサ等により実現される。施工者識別情報取得部３１０は、実施の形態１で示した施工者識別情報取得部１１０と同様に、施工者を識別する施工者識別情報を取得する機能を有する。
【００７３】
認証部３２０は、プログラムを実行するプロセッサ等により実現される。認証部３２０は、実施の形態１で示した認証部１２０と同様に、施工者識別情報取得部３１０が取得した施工者識別情報について認証する機能を有する。
【００７４】
蓄電池識別情報取得部３３０は、プログラムを実行するプロセッサ、通信Ｉ／Ｆ等により実現される。蓄電池識別情報取得部３３０は、実施の形態２で示した蓄電池識別情報取得部２３０と同様に、蓄電装置（電池部）１０１に装着されている各蓄電池１０９ａ〜１０９ｃの蓄電池識別情報を取得する機能を有する。蓄電池識別情報取得部３３０は、例えば蓄電装置１０１の制御回路と通信することにより、蓄電池１０９ａ〜１０９ｃのそれぞれについての蓄電池識別情報を読み出す。この代わりに、蓄電池識別情報取得部３３０は、入力操作等に基づいて蓄電装置１０１に装着された各蓄電池の蓄電池識別情報を取得することとしてもよい。
【００７５】
記録部３４０は、メモリ、プログラムを実行するプロセッサ等により実現される。記録部３４０は、認証部３２０が認証に成功した場合に、蓄電池識別情報取得部３３０が取得した、蓄電装置１０１に装着されている各蓄電池１０９ａ〜１０９ｃの蓄電池識別情報を、認証済蓄電池情報として不揮発性メモリ等の記録媒体に記録する機能を有する。記録部３４０が記録する認証済蓄電池情報は、実施の形態１で示した記録部１４０が記録する認証済蓄電池情報と同様である（図３参照）。
【００７６】
制御部３５０は、通信Ｉ／Ｆ、プログラムを実行するプロセッサ等により実現される。制御部３５０は、認証部３２０による認証の結果に応じて、ユーザの操作を受け付けた際に指示情報をパワーコンディショナー２０１へ送信するか否かを切り替える機能を有する。即ち、制御部３５０は、認証部３２０が認証に成功するまでは指示情報をパワーコンディショナー２００へ送信することを抑止する。
【００７７】
（動作）
以下、上述の構成を備える蓄電システム１２における制御方法の一例（動作例）について説明する。
【００７８】
蓄電システム１２では、蓄電池の設定作業或いは交換作業をした際に施工者は施工者識別情報を操作端末３０１に対して入力する操作を行い、この際に操作端末３０１は、実施の形態１で示した認証記録処理（図４参照）を実行する。これにより、操作端末３０１は、施工者識別情報に基づく認証に成功した場合に限り、蓄電装置１０１に装着されている各蓄電池１０９ａ〜１０９ｃの蓄電池識別情報を施工者識別情報と対応付けて認証済蓄電池情報（図３参照）として記録する。
【００７９】
図１１は、操作端末３０１における指示情報送信処理の一例を示すフローチャートである。以下、同図に即して指示情報送信処理を説明する。
【００８０】
操作端末３０１は、ユーザによる蓄電池の制御指示（例えば蓄電装置１０１の運転モードの指定等）に係る操作を受け付ける（ステップＳ５１）。
【００８１】
続いて、操作端末３０１は、蓄電池識別情報取得部３３０により蓄電装置１０１に装着されている各蓄電池１０９ａ〜１０９ｃの蓄電池識別情報を取得する（ステップＳ５２）。
【００８２】
次に、操作端末３０１の制御部３５０は、蓄電装置１０１に装着されている全ての蓄電池の蓄電池識別情報が、記録媒体に記録されている認証済蓄電池情報に含まれているか否かを判定する（ステップＳ５３）。
【００８３】
ステップＳ５３で全ての蓄電池の蓄電池識別情報が認証済蓄電池情報に含まれると判定した場合に、制御部３５０は、ステップＳ５１で受け付けた操作の内容に応じた指示情報を生成してパワーコンディショナー２００へ送信する（ステップＳ５４）。また、ステップＳ５３で、全ての蓄電池の蓄電池識別情報のうち１つ以上が、認証済蓄電池情報に含まれていないと判定した場合には、制御部３５０は、指示情報のパワーコンディショナー２００への送信を実行しない。なお、パワーコンディショナー２００は、指示情報を受信しない限り、蓄電装置１０１の蓄電池に対して入出力を行わない。
【００８４】
このように、蓄電システム１２では、操作端末３０１における施工者の認証に成功した場合に限って、蓄電装置１０１に装着されている蓄電池が利用されるようになる。従って、蓄電池が不適切な状態で利用されることが抑制され得る。
【００８５】
（実施の形態４）
以下、本発明の一実施形態に係る蓄電システム１３について説明する。蓄電システム１３は、実施の形態１で示した蓄電システム１０を部分的に変形したものである。蓄電システム１０では蓄電装置（電池部）１００が施工者の認証を行ったが、蓄電システム１３では、情報端末４００が施工者の認証を行う。本実施の形態では、予め定められた基準を満たす施工者は、所定の認定機関から発行された施工者識別情報（施工者を識別し認証に成功する情報）等を２次元コードとして印刷した証明書（証明カード）を携帯するものとする。２次元コードは、例えばＱＲコード（登録商標）である。
【００８６】
（構成）
図１２は、実施の形態４に係る蓄電システム１３を示す概略構成図である。実施の形態１（図１）又は実施の形態２（図７）と同様の構成要素については、図１２で同じ符号を付しており、ここでは説明を適宜省略する。また、蓄電システム１３は、ここで説明しない点については、実施の形態１で示した蓄電システム１０或いは実施の形態２で示した蓄電システム１１と同様である。
【００８７】
蓄電システム１３は、需要家施設２０に設置され、蓄電池に電力を蓄積して必要時に放出するための蓄電装置（電池部）１０２の制御を行うシステムである。蓄電システム１３は、蓄電池に係る設定作業（設置作業）、交換作業等の施工者の認証による所定のアクティベーションがなされるまでは蓄電装置１０２に装着された蓄電池の利用を抑制する機能を有する。
【００８８】
蓄電システム１３は、図１２に示すように、需要家施設２０に設置された蓄電装置（電池部）１０２と、パワーコンディショナー２００と、操作端末３００と、情報端末４００とを含んで構成される。
【００８９】
操作端末３００は、ユーザの操作を受け付けて操作に応じた指示情報をパワーコンディショナー２００へ送信する機能を有する端末である。
【００９０】
パワーコンディショナー２００は、蓄電装置１０２と分電盤４０と接続され、予め定められたアルゴリズムに従って、蓄電装置１０２に対して充放電（電流の入出力）の制御を行う。
【００９１】
情報端末４００は、可搬性を有し、電話通信回線網、インターネット等の広域ネットワーク（ＷＡＮ：Wide Area Network）３１と接続可能な無線通信機能を有するコンピュータ端末であり、例えばスマートフォンである。情報端末４００は、例えば、蓄電池に係る設定作業（設置作業）、交換作業等を行う施工者により携帯される。情報端末４００は、撮像素子（イメージセンサ）、レンズ等を含む撮影部４０５とメモリとプロセッサと通信Ｉ／Ｆと入力Ｉ／Ｆと表示部とを含んで構成される。入力Ｉ／Ｆと表示部とは、例えば、ディスプレイの表面にタッチパッドを配置してなるタッチパネルで構成される。
【００９２】
情報端末４００は、認証設定処理を行うための認証用アプリケーションプログラムを実行する。なお、情報端末４００は、この認証用アプリケーションプログラムを提供している所定ウェブサイト等から、例えばインターネット等を介してダウンロードすることで、認証用アプリケーションプログラムをメモリに格納してもよい。認証設定処理は、施工者の操作を受けて施工者が携帯する証明カードを撮影することで、蓄電装置１０１に装着された蓄電池の利用の前提となるアクティベーションのための施工者の認証を行って一定条件下で設定情報を出力（送信）する処理である。設定情報は、施工者に係る認証（つまり施工者識別情報の認証）の成功を示し、蓄電池に対する電流の入出力の制御用の情報（つまりアクティベーションに係る情報）である。情報端末４００は、プロセッサにより認証用アプリケーションプログラムを実行することで、図１２に示す施工者識別情報取得部４１０、認証部４２０及び設定部４６０としての機能を発揮する。
【００９３】
施工者識別情報取得部４１０は、２次元コードで施工者識別情報を表した証明カードを撮影対象として撮影部４０５に撮影させることにより、２次元コードから施工者識別情報を取得する機能を有する。
【００９４】
認証部４２０は、施工者識別情報取得部４１０が取得した施工者識別情報について認証する機能を有する。具体例としては、認証部４２０は、広域ネットワーク３１を介して需要家施設２０の外部に所在するサーバ３０にアクセスし、正当な施工者識別情報を列挙したリストを取得する。そして認証部４２０は、施工者識別情報取得部４１０が取得した施工者識別情報をそのリストと照合することで認証を行う。サーバ３０は、予め定められた施工者識別情報を管理するコンピュータである。認証部４２０は、施工者識別情報取得部４１０が取得した施工者識別情報が、そのリスト中に含まれていれば、認証に成功したと扱い、含まれていなければ認証に失敗した（成功していない）と扱う。認証用アプリケーションプログラムは、例えばサーバ３０のアドレスを含んでいてもよい。また、証明カードに印刷された２次元コードが施工者識別情報とサーバ３０のアドレスとを表すものであってもよい。この場合に、認証部４２０は、その２次元コードに表されたアドレスを用いてサーバ３０にアクセスする。また、サーバ３０は、認証機能を有してもよい。この場合には、認証部４２０は、施工者識別情報をサーバ３０に送信してサーバ３０から応答（つまり認証結果としての成功又は失敗を示す情報）を受信することで、認証を行うこととしてもよい。また、サーバ３０にアクセスすることなく認証部４２０が、実施の形態１で示した認証部１２０と同様の方法で認証を行ってもよい。情報端末４００は、例えば認証部４２０の処理内容等を規定する認証用アプリケーションプログラムを、随時所定ウェブサイト等からダウンロードしてアップデート（更新）してもよい。所定ウェブサイトでは、所定の認定機関による、施工者識別情報の発行、施工者識別情報の有効期間の終了に係る管理等と関連して、必要に応じて、提供する認証用アプリケーションプログラムをアップデートし得る。また、サーバ３０が認証機能を有する場合においては、サーバ３０は、所定の認定機関による、施工者識別情報の発行、施工者識別情報の有効期間の終了に係る管理等と関連して、認証に用いる所定認証基準（条件）を更新し得る。
【００９５】
設定部４６０は、認証部４２０が施工者に係る認証に成功した場合において、蓄電装置（電池部）１０２に、設定情報を送信する機能を有する。設定情報には、施工者識別情報取得部４１０が取得した施工者識別情報を含ませてもよい。なお、情報端末４００と蓄電装置１０２との間ではＢｌｕｅｔｏｏｔｈ（登録商標）等の近距離無線通信或いは無線ＬＡＮ（Local Area Network）を用いて通信を行う。情報端末４００は、操作端末３００及びパワーコンディショナー２００を介して、蓄電装置１０２と通信してもよい。
【００９６】
蓄電装置（電池部）１０２は、実施の形態１で示した蓄電装置１００を部分的に変形したものである。蓄電装置（電池部）１０２は、蓄電池（蓄電池１０９ａ〜１０９ｃ等）を装着する装着部、その蓄電池の制御を行う制御回路等を含む。なお、交換可能な蓄電池の単位毎に対してその蓄電池を識別する蓄電池識別情報が定められており、例えばその単位毎について外部から読み出し可能に蓄電池識別情報が保持されている。また、ここでは蓄電池の制御を行う制御回路は、メモリ、プロセッサ、通信Ｉ／Ｆ等を有するコンピュータを含むものとする。
【００９７】
蓄電装置１０２は、図１２に示すように機能面では、蓄電池識別情報取得部１３０、記録部１４０及び制御部１５０を有する。
【００９８】
蓄電池識別情報取得部１３０は、蓄電装置（電池部）１０２において装着部に装着されている各蓄電池１０９ａ〜１０９ｃの蓄電池識別情報を取得する機能を有する。蓄電池識別情報取得部１３０は、例えばプログラムを実行するプロセッサにより、装着部を介して蓄電池１０９ａ〜１０９ｃのそれぞれについての蓄電池識別情報を読み出す。蓄電池識別情報取得部１３０により取得された蓄電池識別情報は、例えば蓄電装置１０２において装着されている各蓄電池を管理するための蓄電池管理情報（図２参照）の一部として記録され得る。
【００９９】
記録部１４０は、メモリ、プログラムを実行するプロセッサ、通信Ｉ／Ｆ等により実現される。記録部１４０は、情報端末４００から、施工者に係る認証の成功を示す設定情報（アクティベーションに係る情報）を受信した場合に、蓄電池識別情報取得部１３０により取得した、蓄電装置１０２に装着されている各蓄電池１０９ａ〜１０９ｃの蓄電池識別情報を、認証済蓄電池情報として不揮発性メモリ等の記録媒体に記録する機能を有する。認証済蓄電池情報は、認証の成功により利用可能な状態となった蓄電池（つまりアクティベーション済の蓄電池）を示す管理用の情報である。情報端末４００から送信される設定情報が施工者識別情報を含む場合には、認証済蓄電池情報は図３に示したように、各蓄電池識別情報と対応付けてその施工者識別情報を含んでもよく、蓄電装置１０２が設定情報を受信した日時を、認証日時として含んでもよい。
【０１００】
制御部１５０は、通信Ｉ／Ｆ、プログラムを実行するプロセッサ等により実現される。制御部１５０は、情報端末４００での施工者に係る認証の結果に応じて、蓄電装置１０２に装着された蓄電池に対するパワーコンディショナー２００による電流の入出力に係る制御（入出力を許容するか否かに係る制御）を行う機能を有する。制御部１５０は、例えば情報端末４００での施工者に係る認証が成功するまでは蓄電池に対するパワーコンディショナー２００による電流の入出力を許容しないように制御する。この制御の具体例としては、制御部１５０は、蓄電装置１０２に装着されている全ての蓄電池の蓄電池識別情報が記録部１４０により認証済蓄電池情報として記録されている場合を、認証が成功していると扱い、それ以外の場合を認証が成功していないと扱う。そして、認証が成功していない場合（認証に成功するまで）は、制御部１５０は、蓄電装置１０２に装着された蓄電池１０９ａ〜１０９ｃに対しての電流の入出力を許容することを示す許容信号をパワーコンディショナー２００に伝達しない。その認証が成功した後において制御部１５０は、パワーコンディショナー２００に許容信号を伝達する制御処理（図６参照）を行う。
【０１０１】
（動作）
以下、上述の構成を備える蓄電システム１３における制御方法の一例（動作例）について説明する。
【０１０２】
図１３は、情報端末４００における認証設定処理の一例を示すフローチャートである。以下、同図に即して認証設定処理を説明する。
【０１０３】
蓄電池の設定作業或いは交換作業をした際に施工者は情報端末４００で認証用アプリケーションプログラムを稼働させ、証明カードの２次元コードを撮影する操作を行う。この際に情報端末４００の施工者識別情報取得部４１０は、撮影部４０５に２次元コードを撮影させて、その２次元コードから抽出することで施工者識別情報を取得する（ステップＳ６１）。
【０１０４】
認証部４２０は、施工者識別情報取得部４１０が取得した施工者識別情報をサーバ３０に送信してサーバ３０から応答を受信することで認証を行う（ステップＳ６２）。
【０１０５】
ステップＳ６２での認証が成功した場合には（ステップＳ６３）、設定部４６０は、蓄電装置（電池部）１０２に、例えば施工者識別情報を含めて、蓄電池の入出力の許容の旨（アクティベーションの完了の旨）を示す設定情報を送信する（ステップＳ６４）。また、ステップＳ６２での認証が失敗した場合には、設定部４６０は、設定情報の送信を行わない。
【０１０６】
図１４は、蓄電装置１０２における記録処理の一例を示すフローチャートである。以下、同図に即して記録処理を説明する。
【０１０７】
蓄電装置１０２は、情報端末４００から設定情報を受信した場合に（ステップＳ７１）、蓄電池識別情報取得部１３０により、蓄電装置（電池部）１０２に装着されている各蓄電池１０９ａ〜１０９ｃの蓄電池識別情報を取得する（ステップＳ７２）。ここでは、設定情報が施工者識別情報を含むものとして、説明を続ける。
【０１０８】
蓄電装置１０２の記録部１４０は、ステップＳ７２で取得された蓄電池識別情報と、設定情報に含まれる施工者識別情報とを対応付けて、認証済蓄電池情報（図３参照）として記録媒体に記録する（ステップＳ７３）。
【０１０９】
蓄電装置１０２の制御部１５０は、上述の記録処理により記録媒体に記録された認証済蓄電池情報を参照することで、図６に示した制御処理を実行する。また、パワーコンディショナー２００は、図５に示した蓄電池入出力処理を実行する。
【０１１０】
このように蓄電システム１３では、蓄電池に係る施工を行った施工者がスマートフォン等の情報端末４００を用いて認証を行い、認証に成功した場合に蓄電池の利用を許容し、認証に成功しない場合に蓄電池の利用を許容しないような制御がなされる。従って、蓄電池が不適切な状態で利用されることが抑制され得る。このため、所定の認定機関により、例えば、十分な専門知識を有し、品質の良い蓄電池を用いて施工を行う者に対して認証に成功する施工者識別情報を２次元コードで表した証明カードを付与するように運用すれば、蓄電装置１０２について適切な稼働が保たれる。
【０１１１】
（他の実施の形態等）
以上、実施の形態１〜４により蓄電システム及び制御方法について説明したが、上述した実施の形態は一例にすぎず、各種の変更、付加、省略等が可能であることは言うまでもない。
【０１１２】
上述の実施の形態で示したパワーコンディショナーと蓄電装置（電池部）とは、互いに別の筺体を有してもよいし、１つの筺体に含まれていてもよい。互いに別の筺体を有する場合においては、例えば、パワーコンディショナーと蓄電装置とを需要家施設２０における屋外（建築物の外部）と屋内とに分けて配置してもよい。パワーコンディショナーと蓄電装置とが同じ筺体に含まれる場合においては、互いに、一部のハードウェア構成（プロセッサその他の回路等）を共用してもよい。
【０１１３】
また、上述の実施の形態１〜３で示した蓄電装置、パワーコンディショナー或いは操作端末は、実施の形態４で示したサーバ３０にアクセスする通信機能を備えてもよく、施工者の認証においてサーバ３０を活用することとしてもよい。なお、上述したサーバ３０は、記録媒体を備えて相互に通信可能な複数のコンピュータにより実現されてもよく、その各コンピュータは、相互に離れた場所に設置され、相互に広域ネットワークを介して通信してもよい。
【０１１４】
また、上述の実施の形態２及びその変形例において、パワーコンディショナー２０１の制御部２５０が、全ての蓄電池について施工者の認証がなされた後でなければ蓄電池の利用（入出力）を行わないように制御する例と、交換可能な蓄電池の単位毎に施工者の認証がなされた後であれば蓄電池を利用するように制御する例とを示した。同様に、蓄電装置１００の制御部１５０においても、蓄電池の単位毎に、施工者の認証がなされた後であれば蓄電池の利用を許容するように制御してもよい。また操作端末３０１の制御部３５０においても、蓄電池の単位毎に、施工者の認証がなされた後であればその蓄電池を指定して利用を許容するように指示情報を送信してもよい。
【０１１５】
また、実施の形態４では、情報端末４００が、施工者の認証に成功した場合に設定情報を蓄電装置に送信することとした。これは、実施の形態１で示した蓄電装置における認証の機能を情報端末４００に分担させた形態である。これと同様に、実施の形態２で示したパワーコンディショナーにおける認証の機能を情報端末４００に分担させて、情報端末４００が、施工者の認証に成功した場合に設定情報をパワーコンディショナーに送信することとしてもよい。なお、この場合に情報端末４００は、設定情報のパワーコンディショナーへの送信を、操作端末を介して行ってもよい。また、情報端末４００は、設定情報を、蓄電装置とパワーコンディショナーとの両方に送信してもよい。また、実施の形態３で示した操作端末における認証の機能を情報端末４００に分担させて、情報端末４００が、施工者の認証に成功した場合に設定情報を操作端末に送信することとしてもよい。
【０１１６】
また、実施の形態４では、証明カードが、施工者識別情報を２次元コードで表す例を示したが、施工者識別情報を、１次元バーコードその他の方法で、光学的に読み取り可能となるように表してもよい。
【０１１７】
また、実施の形態４で示した情報端末４００の認証部４２０は、実施の形態１で示した認証部１２０と同様に、サーバ３０と通信することなく施工者識別情報を認証してもよい。
【０１１８】
また、上述の実施の形態では、蓄電池の蓄電池識別情報を取得して認証済蓄電池情報（図３参照）の内容に含ませる例を示した。この他に、認証済蓄電池情報が蓄電装置の設置作業（蓄電池の設定作業等）をした施工者の認証に成功したことを示すようにして、蓄電池識別情報を用いないこととしてもよい。この場合には、蓄電システムでは、例えば施工者の認証に成功したという認証済蓄電池情報が記録媒体に記録されるまでは、蓄電池に対するパワーコンディショナーによる電流の入出力を許容しないように制御する。これにより、蓄電池が不適切な状態で利用されることが抑制され得る。
【０１１９】
また、上述の蓄電システム１０〜１３における処理手順（図４〜６、８、９、１１、１３、１４に示す手順等）の実行順序は、必ずしも、上述した通りの順序に制限されるものではなく、発明の要旨を逸脱しない範囲で、実行順序を入れ替えたりその一部を省略したりすることができる。また、その処理手順の全部又は一部は、ハードウェアにより実現されても、ソフトウェアを用いて実現されてもよい。例えば、蓄電装置（蓄電部）、パワーコンディショナー或いは操作端末は、ソフトウェア（プログラム）を含まないハードウェア（電子回路等）のみで構成されていてもよい。なお、ソフトウェアによる処理は、各装置に含まれるプロセッサがメモリに記憶された制御プログラムを実行することにより実現されるものである。また、その制御プログラムを記録媒体に記録して頒布や流通させてもよい。例えば、頒布された制御プログラムをコンピュータにインストールして、プロセッサに実行させることで、コンピュータに、図４〜６、８、９、１１、１３、１４に示した処理手順の全部又は一部を行わせることが可能となる。
【０１２０】
また、上述した実施の形態、変形態様等で示した構成要素及び機能を任意に組み合わせることで実現される形態も本発明の範囲に含まれる。
【０１２１】
なお、本発明の包括的又は具体的な各種態様には、装置、システム、方法、集積回路、コンピュータプログラム、コンピュータで読み取り可能な記録媒体等の１つ又は複数の組み合わせが含まれる。
【０１２２】
以下、本発明の一態様に係る蓄電システム、制御方法及び制御プログラムについての構成、変形態様、効果等について示す。
【０１２３】
（１）本発明の一態様に係る蓄電システムは、１以上の蓄電池１０９ａ〜１０９ｃを装着する電池部１００、１０１、１０２と、電池部と接続されたパワーコンディショナー２００、２０１とを含む蓄電システム１０〜１３であって、施工者を識別する施工者識別情報を取得する施工者識別情報取得部１１０、２１０、３１０、４１０と、施工者識別情報取得部により取得された施工者識別情報について認証する認証部１２０、２２０、３２０、４２０と、認証部による認証の結果に応じて、電池部に装着された蓄電池に対するパワーコンディショナーによる電流の入出力に係る制御を行う制御部１５０、２５０、３５０とを備える。なお、蓄電システムにおける「電池部に装着された蓄電池に対するパワーコンディショナーによる電流の入出力に係る制御」には、電流の入出力を許容するか否かに関連した多様な制御内容が該当し得る。この制御として、上述の実施の形態で示したようにパワーコンディショナー側で電流を入出力するか否かという制御、或いは、蓄電装置側で電流の入出力を許容することを示す許容信号を送信するか否かという制御の他に、次の制御例が挙げられる。例えば、認証部による認証の結果に応じて、蓄電池側のリレーをオフ（ＯＦＦ）にして蓄電池に電流を入出力できない状態にする制御、或いは、同様にパワーコンディショナー側のリレーをオフにする制御である。また、蓄電装置（蓄電池）とパワーコンディショナーとの間での通信を遮断する制御であってもよい。また、蓄電装置が、蓄電池の残量を０としてパワーコンディショナーに通知し、パワーコンディショナーが残量が無いと認識して放電を制限するような制御である。
【０１２４】
これにより、認証を行うため、予め定められた基準を満たす施工者が施工したか否かを確認することが可能となり、不適切な設定作業、交換作業が行われて不適切な状態で蓄電池が利用されることが抑制され得る。
【０１２５】
（２）例えば、制御部１５０、２５０、３５０は、認証部１２０、２２０、３２０、４２０が認証に成功するまでは電池部１００、１０１、１０２に装着された蓄電池１０９ａ〜１０９ｃに対するパワーコンディショナー２００、２０１による電流の入出力を許容しないように制御を行うこととしてもよい。なお、認証に成功するまで蓄電池に対する電流の入出力を許容しないように制御することは、認証に成功するまで蓄電池に対する電流の入出力を行わないように制御することを包含する概念である。認証に成功するまで蓄電池に対する電流の入出力を許容しないように制御することは、例えば認証に成功するまで電池部１００がパワーコンディショナー２００に許容信号を送信しないことにより実現され、また、認証に成功するまでパワーコンディショナー２０１が蓄電池への電流の入出力を実行しないことにより実現され、或いは、認証に成功するまで操作端末３０１がパワーコンディショナー２００に指示情報を送信しないこと等により実現される。
【０１２６】
これにより、施工者の認証に成功するまでは蓄電池の利用を許容しないので、不適切な状態で蓄電池が利用される可能性が低減し得る。認証により、予め定められた基準を満たす施工者が施工したか否かを区別でき、その基準を満たす施工者が施工した場合においては蓄電池が適切な状態に置かれるはずだからである。
【０１２７】
（３）例えば、蓄電システム１０〜１３は、電池部１００、１０１、１０２に装着されている各蓄電池１０９ａ〜１０９ｃの蓄電池識別情報を取得する蓄電池識別情報取得部１３０、２３０、３３０と、認証部１２０、２２０、３２０、４２０が認証に成功した場合において、電池部に装着されている各蓄電池の蓄電池識別情報を認証済蓄電池情報として記録媒体に記録する記録部１４０、２４０、３４０とを備え、制御部１５０、２５０、３５０は、電池部に装着されている全ての蓄電池の蓄電池識別情報が認証済蓄電池情報として記録されている場合には、電池部に装着された各蓄電池に対するパワーコンディショナー２００、２０１による電流の入出力を許容するように制御を行い、電池部に装着されている１以上の蓄電池の蓄電池識別情報が認証済蓄電池情報として記録されていない場合には、電池部に装着された各蓄電池に対するパワーコンディショナーによる電流の入出力を許容しないように制御を行うこととしてもよい。
【０１２８】
これにより、蓄電部（蓄電装置）に、施工者の認証に成功していない蓄電池（例えば予め定められた基準を満たさない施工者が交換した蓄電池等）が含まれている場合において、各蓄電池の利用が許容されず、不適切な状態で利用される可能性が低減する。
【０１２９】
（４）例えば、電池部１００、１０１、１０２は、複数の蓄電池１０９ａ〜１０９ｃを装着し、蓄電システム１０〜１３は、電池部に装着されている各蓄電池の蓄電池識別情報を取得する蓄電池識別情報取得部１３０、２３０、３３０と、認証部１２０、２２０、３２０、４２０が認証に成功した場合において、電池部に装着されている各蓄電池の蓄電池識別情報を認証済蓄電池情報として記録媒体に記録する記録部１４０、２４０、３４０とを備え、制御部１５０、２５０、３５０は、電池部に装着されている複数の蓄電池のうち、その蓄電池の蓄電池識別情報が認証済蓄電池情報として記録されている蓄電池に対するパワーコンディショナー２００、２０１による電流の入出力を許容するように制御を行い、その蓄電池の蓄電池識別情報が認証済蓄電池情報として記録されていない蓄電池に対するパワーコンディショナーによる電流の入出力を許容しないように制御を行うこととしてもよい。
【０１３０】
これにより、蓄電部（蓄電装置）に装着されている複数の蓄電池のうち、施工者の認証に成功していない蓄電池（例えば予め定められた基準を満たさない施工者が交換した蓄電池等）については、各蓄電池の利用が許容されない。このため蓄電池が不適切な状態で利用される可能性が低減する。
【０１３１】
（５）例えば、電池部１００、１０２は、制御部１５０を含み、制御部１５０は上述の制御として、認証部１２０、４２０が認証に成功するまでは電池部に装着された蓄電池に対しての電流の入出力を許容することを示す許容信号をパワーコンディショナー２００に伝達せず、認証部１２０、４２０が認証に成功した後においてパワーコンディショナー２００に許容信号を伝達する制御を行うこととしてもよい。
【０１３２】
これにより、パワーコンディショナー２００は、許容信号の伝達があるか否かにより、蓄電池に対する入出力が許容される状態であるか否かを区別できる。このため、パワーコンディショナー２００が、許容信号に従うと、不適切な状態で蓄電池が利用される可能性が低減する。
【０１３３】
（６）例えば、制御部２５０は上述の制御として、認証部２２０が認証に成功するまではパワーコンディショナー２０１に電池部１０１に装着された蓄電池１０９ａ〜１０９ｃに対して電流を入出力させず（即ち蓄電池への電流の入力も蓄電池からの電流の出力もさせず）、認証部２２０が認証に成功した後においてパワーコンディショナー２０１に電池部１０１に装着された蓄電池１０９ａ〜１０９ｃに対して電流を入出力させる制御を行うこととしてもよい。
【０１３４】
これにより、施工者の認証に成功するまでは蓄電池を利用しないので、不適切な状態で蓄電池が利用される可能性が低減する。
【０１３５】
（７）例えば、蓄電システム１０〜１３は、電池部１００、１０１、１０２に装着されている各蓄電池１０９ａ〜１０９ｃの蓄電池識別情報を取得する蓄電池識別情報取得部１３０、２３０、３３０と、認証部１２０、２２０、３２０、４２０が認証に成功した場合において、電池部に装着されている各蓄電池の蓄電池識別情報とその認証がなされた施工者識別情報とを対応付けて認証済蓄電池情報として記録媒体に記録する記録部１４０、２４０、３４０とを備えることとしてもよい。
【０１３６】
これにより、記録媒体を参照することで、蓄電池に係る施工を行った施工者の特定が可能になる。
【０１３７】
（８）例えば、蓄電システム１２は、操作に応じて、パワーコンディショナー２００へと、蓄電池１０９ａ〜１０９ｃに対する電流の入出力を指示する指示情報を送信する操作端末３０１を備え、操作端末３０１は、施工者識別情報取得部３１０、認証部３２０及び制御部３５０を有し、制御部３５０は、認証部３２０が認証に成功するまでは指示情報の送信を抑止することとしてもよい。
【０１３８】
これにより、施工者の認証に成功するまではパワーコンディショナー２００に指示情報が送信されない。このため、パワーコンディショナー２００が指示情報を受信するまで蓄電池を利用しないこととすれば、不適切な状態で蓄電池が利用される可能性が低減する。
【０１３９】
（９）例えば、蓄電システム１３は、施工者識別情報取得部４１０及び認証部４２０を有する情報端末４００を備え、情報端末４００は、撮影部４０５と、認証部４２０が認証に成功した場合において、パワーコンディショナー及び電池部の少なくとも一方へと、蓄電池に対する電流の入出力に関する設定情報を送信する設定部４６０とを備え、施工者識別情報取得部４１０は、施工者識別情報を表した撮影対象（例えば証明カード）を撮影部４０５で撮影することにより施工者識別情報を取得することとしてもよい。設定情報は、例えば施工者に係る認証の成功を示し、蓄電池に対する電流の入出力の制御用の情報（アクティベーションに係る情報）である。
【０１４０】
これにより、施工者識別情報を表した証明カード等を保有する施工者は、情報端末４００を用いて認証を行うことで比較的容易な操作で、蓄電池を利用可能にし得る。
【０１４１】
（１０）例えば、認証部４２０は、予め定められた施工者識別情報を管理するサーバ３０と通信することにより、認証を行うこととしてもよい。
【０１４２】
これにより、サーバ３０で予め定められた施工者識別情報を管理している状況（例えば管理する施工者識別情報の追加、変更、削除等の結果としての最新状況等）を反映して、蓄電システムにおいて適切に認証を行うことが可能となる。
【０１４３】
（１１）本発明の一態様に係る制御方法は、１以上の蓄電池１０９ａ〜１０９ｃを装着する電池部１００、１０１、１０２と、その電池部と接続されたパワーコンディショナー２００、２０１とを含む蓄電システム１０〜１３において用いられる制御方法であって、施工者を識別する施工者識別情報を取得する施工者識別情報取得ステップ（例えばステップＳ１１、Ｓ６１）と、施工者識別情報取得ステップにおいて取得された施工者識別情報について認証する認証ステップ（例えばステップＳ１２、Ｓ６２）と、認証ステップによる認証の結果に応じて、電池部に装着された蓄電池に対するパワーコンディショナーによる電流の入出力に係る制御を行う制御ステップ（例えばステップＳ３１、Ｓ３２、Ｓ４３、Ｓ４４、Ｓ４３ａ、Ｓ５３、Ｓ５４等）とを含む。
【０１４４】
これにより、予め定められた基準を満たす施工者が施工したか否かを区別する認証の結果に応じて制御がなされるので、不適切な状態で蓄電池が利用されることが抑制され得る。
【０１４５】
（１２）本発明の一態様に係る制御プログラムは、マイクロプロセッサ及び撮影部４０５を備える情報端末４００に所定認証設定処理を実行させるための制御プログラムであって、所定認証設定処理は、１以上の蓄電池１０９ａ〜１０９ｃを装着する電池部１０２と、その電池部１０２と接続されたパワーコンディショナー２００とを含む蓄電システム１３に係る施工を行う施工者についての施工者識別情報を、撮影部４０５に撮影させることにより取得する施工者識別情報取得ステップ（例えばステップＳ６１）と、施工者識別情報取得ステップにおいて取得された施工者識別情報について認証する認証ステップ（例えばステップＳ６２）と、認証ステップでの認証に成功した場合において、パワーコンディショナー２００及び電池部１０２の少なくとも一方へと、蓄電池に対する電流の入出力に関する設定情報を送信する設定ステップ（例えばステップＳ６３、Ｓ６４）とを含む。
【０１４６】
この制御プログラムを情報端末４００にインストールして、マイクロプロセッサに実行させることにより、認証の結果を反映して電池部１０２或いはパワーコンディショナー２００が動作し得る。このため、例えば、認証に成功しない限り電池部１０２における蓄電池の利用を許容しないように制御することが可能になり、結果的に、不適切な状態で蓄電池が利用されることが抑制され得る。
【符号の説明】
【０１４７】
１０〜１３  蓄電システム
３０  サーバ
１００〜１０２  蓄電装置（電池部）
１０９ａ〜１０９ｃ  蓄電池
１１０、２１０、３１０、４１０  施工者識別情報取得部
１２０、２２０、３２０、４２０  認証部
１３０、２３０、３３０  蓄電池識別情報取得部
１４０、２４０、３４０  記録部
１５０、２５０、３５０  制御部
２００、２０１  パワーコンディショナー
３００、３０１  操作端末
４００  情報端末
４０５  撮影部
４６０  設定部
【図１】
2019092383.tif 000003
【図２】
2019092383.tif 000004
【図３】
2019092383.tif 000005
【図４】
2019092383.tif 000006
【図５】
2019092383.tif 000007
【図６】
2019092383.tif 000008
【図７】
2019092383.tif 000009
【図８】
2019092383.tif 000010
【図９】
2019092383.tif 000011
【図１０】
2019092383.tif 000012
【図１１】
2019092383.tif 000013
【図１２】
2019092383.tif 000014
【図１３】
2019092383.tif 000015
【図１４】
2019092383.tif 000016